(57)【要約】【課題】消費電力を低減すること。【解決手段】パーソナルコンピュータ部５２０と、該パーソナルコンピュータ部５２０に接続され、異なるネットワーク間（ＷＡＮ２００、ＬＡＮ４００）で通信プロトコルの調整を行うゲートウェイカード５１０とを備え、ゲートウェイカード５１０では、クライアント３００1 からのアクセス要求が外部装置（サーバ１００1〜１００n）へのアクセスに対応している場合、パーソナルコンピュータ部５２０の電力モードを省電力モードに維持させた状態で、クライアント３００1を外部装置へアクセスさせ、パーソナルコンピュータ部５２０は、所定の移行要因が発生した場合に、電力モードを通常電力モードから省電力モードに移行させる。【選択図】        図１
2008112451.tif 000002
【特許請求の範囲】
【請求項１】
情報処理部に接続され、異なるネットワーク間でデータの受け渡しを行うゲートウェイカードであって、
前記情報処理部と同一の電源から電力の供給を受けて該情報処理部と共にゲートウェイ装置を構成し、
前記ネットワークにより接続された装置からのアクセス要求を受け付けるアクセス要求受付手段と、
前記アクセス要求受付手段により受け付けられたアクセス要求を解析し、該アクセス要求が外部装置へのアクセスに対応している場合に、前記情報処理部の稼動状態が省電力モードであるときは該稼動状態を省電力モードに維持させた状態で、前記装置からのアクセス要求を前記外部装置に対して行わせるアクセス制御手段と、
を備えたことを特徴とするゲートウェイカード。
【請求項２】
前記アクセス制御手段は、前記稼動状態が省電力モードである場合に前記アクセス要求を受け付け、該アクセス要求が前記情報処理部へのアクセスに対応しているとき、前記稼動状態を前記省電力モードから通常電力モードへ復帰させた状態で、前記装置からのアクセス要求を前記情報処理部に対して行わせ、アクセス終了後に前記稼動状態を前記通常電力モードから前記省電力モードへ移行させることを特徴とする請求項１に記載のゲートウェイカード。
【請求項３】
情報処理部に接続され、異なるネットワーク間でデータの受け渡しを行うゲートウェイカードに適用されるゲートウェイ制御方法あって、
前記情報処理部と同一の電源から電力の供給を受けて該情報処理部と共にゲートウェイ装置を構成するゲートウェイカードが、
前記ネットワークにより接続された装置からのアクセス要求を受け付けるアクセス要求受付工程と、
前記アクセス要求受付工程により受け付けられたアクセス要求を解析し、該アクセス要求が外部装置へのアクセスに対応している場合に、前記情報処理部の稼動状態が省電力モードであるときは該稼動状態を省電力モードに維持させた状態で、前記装置からのアクセス要求を前記外部装置に対して行わせるアクセス制御工程と、
を含むことを特徴とするゲートウェイ制御方法。
【請求項４】
前記アクセス制御工程は、前記アクセス要求が前記情報処理部へのアクセスに対応している場合、前記情報処理部の稼動状態を省電力モードから通常電力モードへ復帰させた状態で、前記装置からのアクセス要求を前記情報処理部に対して行わせ、アクセス終了後に前記稼動状態を前記通常電力モードから前記省電力モードへ移行させることを特徴とする請求項３に記載のゲートウェイ制御方法。
【発明の詳細な説明】
【技術分野】
【０００１】
本発明は、例えば、家庭に設置され、異なるネットワーク間の通信プロトコルを調整するためのゲートウェイカード、ゲートウェイ装置、ゲートウェイ制御方法およびゲートウェイ制御プログラムに関するものであり、特に、消費電力を低減することができるゲートウェイカードおよびゲートウェイ制御方法に関するものである。
【背景技術】
【０００２】
周知の通り、インターネットの普及に伴い、各家庭においても、パーソナルコンピュータだけでなく、テレビジョン、電話機等、さまざまな機器において、インターネットを利用できるインターネット接続機能を備えるようになっている。
【０００３】
しかしながら、ユーザがインターネット接続機能を備えた機器を新たに購入した場合、それぞれの機器においてインターネットが利用できる状態とするためには、各機器をインターネットに接続するためのアクセスポイントへの接続設定等が必要であり、これには手間がかかる。
【０００４】
また、これらの機器は、家庭内において通信回線の配線を行なう必要があり、これにも手間がかかるうえ、機器の台数が増えるほど配線も煩雑になるという問題がある。
【０００５】
このような問題を解決できるものとして、近年、ホームゲートウェイ等と称されるゲートウェイ装置が注目されている。このゲートウェイ装置は、各家庭に一台設置され、家庭内のネットワークとインターネット等の外部ネットワークとの間の通信プロトコルの違いを調整し、相互接続を可能とする装置である。
【０００６】
インターネットを利用できる各機器は、全てこのゲートウェイ装置に接続される。ゲートウェイ装置は、公衆電話回線網を介してインターネットに接続可能となっている。
【０００７】
このゲートウェイ装置でインターネットへの接続に関するシステムデータの設定を行なえば、ゲートウェイ装置に接続された各機器においては、個々にインターネットへの接続設定を行なうことなくインターネットを利用できるようになる。
【０００８】
このように、ゲートウェイ装置を設置することにより、インターネットへの接続設定等の手間が省けるとともに、家庭内における配線等を集約することができ、ユーザにとっては利便性が大幅に高くなる。その結果、インターネットを利用できるこれらの機器の普及にも拍車がかかると期待される。
【０００９】
【特許文献１】特開平１０−１９０８５５号公報
【特許文献２】特開２００１−１６８８７９号公報
【特許文献３】特開平７−９３０６１号公報
【特許文献４】特開平１０−３１２３７０号公報
【発明の開示】
【発明が解決しようとする課題】
【００１０】
ところで、従来においては、ゲートウェイ装置を家庭に設置する場合には、電気料金の節約の観点から、消費電力が問題となる。すなわち、信頼性に重きがおかれる企業向けのゲートウェイ装置と違って、家庭向けのゲートウェイ装置では、運用コストとしての電気料金を如何に安くできるかという点が、重要なファクタとなる。
【００１１】
本発明は、上記に鑑みてなされたもので、消費電力を低減することができるゲートウェイカードおよびゲートウェイ制御方法を提供することを目的とする。
【課題を解決するための手段】
【００１２】
上記目的を達成するために、本発明は、情報処理部に接続され、異なるネットワーク間でデータの受け渡しを行うゲートウェイカードであって、前記情報処理部と同一の電源から電力の供給を受けて該情報処理部と共にゲートウェイ装置を構成し、前記ネットワークにより接続された装置からのアクセス要求を受け付けるアクセス要求受付手段と、前記アクセス要求受付手段により受け付けられたアクセス要求を解析し、該アクセス要求が外部装置へのアクセスに対応している場合に、前記情報処理部の稼動状態が省電力モードであるときは該稼動状態を省電力モードに維持させた状態で、前記装置からのアクセス要求を前記外部装置に対して行わせるアクセス制御手段と、を備えたことを特徴とする。
【００１３】
この発明によれば、装置からのアクセス要求が外部装置へのアクセスに対応しているとき、情報処理部の稼動状態を省電力モードに維持させた状態で、装置からのアクセス要求を外部装置に対して行わせることとしたので、消費電力を低減することができる。
【００１４】
また、本発明は、情報処理部に接続され、異なるネットワーク間でデータの受け渡しを行うゲートウェイカードに適用されるゲートウェイ制御方法あって、情報処理部に接続され、異なるネットワーク間でデータの受け渡しを行うゲートウェイカードに適用されるゲートウェイ制御方法あって、前記情報処理部と同一の電源から電力の供給を受けて該情報処理部と共にゲートウェイ装置を構成するゲートウェイカードが、前記ネットワークにより接続された装置からのアクセス要求を受け付けるアクセス要求受付工程と、前記アクセス要求受付工程により受け付けられたアクセス要求を解析し、該アクセス要求が外部装置へのアクセスに対応している場合に、前記情報処理部の稼動状態が省電力モードであるときは該稼動状態を省電力モードに維持させた状態で、前記装置からのアクセス要求を前記外部装置に対して行わせるアクセス制御工程と、を含むことを特徴とする。
【００１５】
この発明によれば、装置からのアクセス要求が外部装置へのアクセスに対応しているとき、情報処理部の稼動状態を省電力モードに維持させた状態で、装置からのアクセス要求を外部装置に対して行わせることとしたので、消費電力を低減することができる。
【発明の効果】
【００１６】
本発明によれば、装置からのアクセス要求が外部装置へのアクセスに対応している場合、情報処理部の稼動状態を省電力モードに維持させた状態で、装置からのアクセス要求を外部装置に対して行わせることとしたので、消費電力を低減することができるという効果を奏する。
【００１７】
また、本発明によれば、アクセス要求が情報処理部へのアクセスに対応している場合、情報処理部の稼動状態を省電力モードから通常電力モードへ復帰させた状態で、装置からのアクセス要求を情報処理部に対して行わせ、アクセス終了後に電力モードを通常電力モードから省電力モードへ移行させることとしたので、情報処理部での無駄な電力消費を抑えることができるという効果を奏する。
【発明を実施するための最良の形態】
【００１８】
以下、図面を参照して本発明にかかるゲートウェイカードおよびゲートウェイ制御方法の一実施の形態について詳細に説明する。
【実施例】
【００１９】
図１は、本発明にかかる一実施の形態の構成を示すブロック図である。この図には、通信プロトコルや規格が異なるＷＡＮ（Wide  Area  Network）２００とＬＡＮ（Local  Area  Network）４００とがゲートウェイパーソナルコンピュータ５００を介して接続されてなる通信システムが図示されている。
【００２０】
ＷＡＮ２００は、インターネット、公衆回線ネットワーク、無線通信ネットワーク、ＣＡＴＶ（CAble  TeleVision）ネットワーク等からなる広域ネットワークであり、所定の通信プロトコルに従って、遠隔地にあるコンピュータ同士を相互接続する。以下では、一例としてＷＡＮ２００をインターネットとして説明する。
【００２１】
サーバ１００1〜１００nは、メールサーバ、ＷＷＷ（World  Wide  Web）サーバ等であり、ＷＡＮ２００に接続されている。これらのサーバ１００1〜１００nは、後述するゲートウェイパーソナルコンピュータ５００およびＬＡＮ４００を経由して、クライアント３００1〜３００3にメールサービス、ＷＷＷサイトサービス等を提供する。
【００２２】
クライアント３００1〜３００3は、例えば、家庭に設置されており、パーソナルコンピュータやネットワーク接続機能を備えた電化製品（テレビジョン、電話機、オーディオ機器等）である。
【００２３】
これらのクライアント３００1〜３００3は、家庭に敷設されたＬＡＮ４００に接続されており、このＬＡＮ４００、ゲートウェイカード５１０およびＷＡＮ２００を経由して、サーバ１００1〜１００nへアクセスし、上述した各種サービスの提供を受ける機能を備えている。
【００２４】
また、クライアント３００1〜３００3は、ＬＡＮ４００およびゲートウェイカード５１０を経由して、パーソナルコンピュータ部５２０にアクセスし、各種データを受信する等の機能も備えている。
【００２５】
このように、クライアント３００1〜３００3は、外部装置としてのサーバ１００1〜１００nへアクセスする場合と、内部装置としてのパーソナルコンピュータ部５２０へアクセスする場合とがある。
【００２６】
ここで、ＷＡＮ２００およびＬＡＮ４００においては、異なる通信プロトコルがそれぞれ採用されている。
【００２７】
ゲートウェイパーソナルコンピュータ５００は、例えば、家庭に設置され、（ホーム）ゲートウェイとしての機能（例えば、ルータ機能、ブリッジ機能等）を提供するための専用のパーソナルコンピュータであり、通信プロトコルが異なるＷＡＮ２００とＬＡＮ４００との間に介挿されている。
【００２８】
ゲートウェイは、ＷＡＮ２００とＬＡＮ４００との間の通信プロトコルの違いを調整して相互接続を可能にするためのハードウェアやソフトウェアの総称である。
【００２９】
ゲートウェイパーソナルコンピュータ５００は、ゲートウェイカード５１０、パーソナルコンピュータ部５２０、電源ユニット５３０および共用ＨＤＤ（Hard  Disk  Drive）５４０から構成されている。
【００３０】
ゲートウェイカード５１０は、パーソナルコンピュータ部５２０の挿入部５２１に着脱自在に挿入されるカード型のゲートウェイ装置であり、上述したゲートウェイの機能を提供する。
【００３１】
パーソナルコンピュータ部５２０は、一般のパーソナルコンピュータとしての機能を備えている。電源ユニット５３０は、ゲートウェイカード５１０およびパーソナルコンピュータ部５２０の各部へ電力を供給する。
【００３２】
共用ＨＤＤ５４０は、ゲートウェイカード５１０およびパーソナルコンピュータ部５２０で共用される大容量記憶装置であり、ゲートウェイカード５１０およびパーソナルコンピュータ部５２０でそれぞれ用いられるオペレーティングシステムや各種アプリケーションプログラムを記憶している。この共用ＨＤＤ５４０における切り替えは、後述する切替部５１６により実行される。
【００３３】
ゲートウェイカード５１０において、ＷＡＮインタフェース部５１１は、ＷＡＮ２００に接続されており、ＷＡＮ２００との間の通信インタフェースをとる。ＬＡＮインタフェース部５１２は、ＬＡＮ４００に接続されており、ＬＡＮ４００との間の通信インタフェースをとる。
【００３４】
入出力インタフェース部５１３は、パーソナルコンピュータ部５２０の挿入部５２１に着脱自在に挿入され、パーソナルコンピュータ部５２０との間でインタフェースをとる。
【００３５】
通信プロトコル制御部５１４は、ＷＡＮ２００とＬＡＮ４００との間の通信プロトコルの違いを調整するための制御（通信プロトコルの解析等）を行い、相互接続を可能にする。
【００３６】
メモリ５１５は、バックアップ電源が不要で、記憶したデータを電気的に消去できる書き換え可能な読み出し専用メモリであり、フラッシュＥＰＲＯＭ（Erasable  Programmable  Read  Only  Memory）等である。
【００３７】
このメモリ５１５には、システムデータ等が記憶されている。ゲートウェイカード５１０が、例えば、ルータの機能を提供する場合、システムデータは、ＩＰ（Internet  Protocol）アドレス、ＤＨＣＰ（Dynamic  Host  Configuration  Protocol）データ、回線データ、フィルタリングデータ、ファームウェア等である。
【００３８】
切替部５１６は、図２に示したように、スイッチ構成とされており、共用ＨＤＤ５４０をゲートウェイカード５１０側またはパーソナルコンピュータ部５２０側に切り替える機能を備えている。
【００３９】
切替部５１６がゲートウェイカード５１０側に切り替えられている場合、共用ＨＤＤ５４０は、ゲートウェイカード５１０からアクセス可能とされる。一方、切替部５１６がパーソナルコンピュータ部５２０側に切り替えられている場合、共用ＨＤＤ５４０は、パーソナルコンピュータ部５２０からアクセス可能とされる。
【００４０】
図１に戻り、パーソナルコンピュータ部５２０において、挿入部５２１には、ゲートウェイカード５１０の入出力インタフェース部５１３が挿入される。主制御部５２２は、パーソナルコンピュータ部５２０の各部を制御する。
【００４１】
電力制御部５２３は、電源ユニット５３０からの電力をパーソナルコンピュータ部５２０の各部へ供給する際に、通常電力モードまたは省電力モードに応じた制御を行う。
【００４２】
上記通常電力モードは、パーソナルコンピュータ部５２０の各部へ定格電力を供給する電力モードである。省電力モードは、パーソナルコンピュータ部５２０のうち必要最低限の各部へ定格電力よりも低い電力を供給し、消費電力を低減させる電力モードである。
【００４３】
また、省電力モードには、スタンバイモードおよび休止モードという二種類に大別される。スタンバイモードと休止モードとは、作業データを記憶させる場所が異なる。スタンバイモードは、作業データの記憶先がメモリ５２４であり、メモリ５２４に電力を供給し続ける必要がある。
【００４４】
一方、休止モードは、作業データを共用ＨＤＤ５４０に記憶して電源をオフにするので、スタンバイモードに比べて消費電力が非常に少ない。なお、以下では、省電力モードがスタンバイモードまたは休止モードであるとする。
【００４５】
電力制御部５２３は、移行要因が発生した場合に電力モードを通常電力モードから省電力モードへ移行させたり、復帰要因が発生した場合に省電力モードから通常電力モードへ復帰させるための制御を行う。
【００４６】
ここで、移行要因は、クライアント３００1〜３００3からパーソナルコンピュータ部５２０へのアクセスが終了した場合等である。一方、復帰要因は、クライアント３００1〜３００3からパーソナルコンピュータ部５２０へのアクセス要求があった場合等である。
【００４７】
メモリ５２４には、各種データが記憶される。入力部５２５は、キーボードやマウス等であり、各種データの入力に用いられる。表示部５２６は、ＣＲＴ（Cathode  Ray  Tube）やＬＣＤ（Liquid  Crystal  Display）であり、主制御部５２２の制御の下で各種画面やデータを表示する。
【００４８】
つぎに、一実施の形態の動作について、図３〜図５に示したシーケンス図を参照しつつ説明する。図３は、一実施の形態における電力モードの移行動作を説明するシーケンス図である。図４および図５は、一実施の形態における電力制御動作を説明するシーケンス図である。
【００４９】
パーソナルコンピュータ部５２０の電力モードが通常電力モードとされた状態において、図３に示したステップＳＡ１で前述した電力モードの移行要因が発生すると、ステップＳＡ２では、パーソナルコンピュータ部５２０の主制御部５２２は、ゲートウェイカード５１０へ通常電力モードから省電力モードへの移行を通知する。
【００５０】
ステップＳＡ３では、ゲートウェイカード５１０の通信プロトコル制御部５１４は、上記移行の通知に対応して、パーソナルコンピュータ部５２０の主制御部５２２へ応答を通知する。
【００５１】
ステップＳＡ４では、主制御部５２２は、通常電力モードから省電力モードへの移行を電力制御部５２３へ指示する。ステップＳＡ５では、電力制御部５２３は、電力モードを通常電力モードから省電力モードへ移行させる。これにより、パーソナルコンピュータ部５２０の消費電力が低減される。
【００５２】
パーソナルコンピュータ部５２０の電力モードが省電力モードとされている状態において、図４に示したステップＳＢ１では、クライアント３００1〜３００3のうち、例えば、クライアント３００1は、外部装置としてのサーバ１００1〜１００n、内部装置としてのパーソナルコンピュータ部５２０のうち、例えば、外部装置としてのサーバ１００1（ＷＡＮ２００）へのアクセス要求をゲートウェイカード５１０へ出す。
【００５３】
ステップＳＢ２では、ゲートウェイカード５１０の通信プロトコル制御部５１４は、クライアント３００1 からのアクセス要求に関するプロトコル解析を行う。ステップＳＢ３では、通信プロトコル制御部５１４は、クライアント３００1へダミー応答を返す。ステップＳＢ４では、通信プロトコル制御部５１４は、サーバへのアクセス要求であるか否かを判断し、この場合、判断結果を「Ｙｅｓ」とする。
【００５４】
ステップＳＢ５では、通信プロトコル制御部５１４は、ルータ機能を起動させる。ステップＳＢ６では、通信プロトコル制御部５１４は、ＷＡＮインタフェース部５１１およびＷＡＮ２００を経由して、サーバ１００1へ接続するための接続処理を実行する。なお、この場合、パーソナルコンピュータ部５２０を使用しないため、パーソナルコンピュータ部５２０の電力モードは、省電力モードのままである。
【００５５】
ステップＳＢ７では、クライアント３００1は、ＬＡＮ４００、ゲートウェイパーソナルコンピュータ５００およびＷＡＮ２００を経由して、サーバ１００1へアクセスし、各種サービスの提供を受ける。
【００５６】
また、パーソナルコンピュータ部５２０の電力モードが省電力モードとされている状態において、図４に示したステップＳＢ１では、クライアント３００1〜３００3のうち、例えば、クライアント３００2は、内部装置としてのパーソナルコンピュータ部５２０へのアクセス要求をゲートウェイカード５１０へ出す。
【００５７】
ステップＳＢ２では、ゲートウェイカード５１０の通信プロトコル制御部５１４は、クライアント３００2からのアクセス要求に関するプロトコル解析を行う。ステップＳＢ３では、通信プロトコル制御部５１４は、クライアント３００2へダミー応答を返す。ステップＳＢ４では、通信プロトコル制御部５１４は、サーバへのアクセス要求であるか否かを判断し、この場合、判断結果を「Ｎｏ」とする。
【００５８】
図５に示したステップＳＢ８では、通信プロトコル制御部５１４は、電力モードを省電力モードから通常電力モードへ復帰させるための復帰要求をパーソナルコンピュータ部５２０の電力制御部５２３へ出す。
【００５９】
ステップＳＢ９では、電力制御部５２３は、電力モードを省電力モードから通常電力モードへ復帰させる。これにより、パーソナルコンピュータ部５２０の各部へ定格電力が供給され、パーソナルコンピュータ部５２０がウェイクアップする。
【００６０】
ステップＳＢ１０では、電力制御部５２３は、ゲートウェイカード５１０へ復帰ステート（state）を通知する。ステップＳＢ１１では、通信プロトコル制御部５１４は、復帰ステートをクライアント３００2へ通知する。
【００６１】
ステップＳＢ１２では、クライアント３００2は、パーソナルコンピュータ部５２０へアクセス中である旨を表示する。ステップＳＢ１３では、省電力モードから通常電力モードへの復帰を受けて、パーソナルコンピュータ部５２０の主制御部５２２は、復帰をゲートウェイカード５１０へ通知する。
【００６２】
ステップＳＢ１４では、ゲートウェイカード５１０の通信プロトコル制御部５１４は、パーソナルコンピュータ部５２０の主制御部５２２へ応答を通知する。ステップＳＢ１５では、通信プロトコル制御部５１４は、ダミー応答をクライアント３００2 へ通知する。
【００６３】
ステップＳＢ１６では、パーソナルコンピュータ部５２０は、ゲートウェイカード５１０へ復帰要因を問い合わせる。ステップＳＢ１７では、通信プロトコル制御部５１４は、ダミー応答をクライアント３００2へ通知する。
【００６４】
ステップＳＢ１８では、ゲートウェイカード５１０の通信プロトコル制御部５１４は、クライアント３００2からパーソナルコンピュータ部５２０へのアクセス要求があったことを復帰要因として、主制御部５２２へ通知する。
【００６５】
ステップＳＢ１９では、クライアント３００2は、ＬＡＮ４００、ＬＡＮインタフェース部５１２および入出力インタフェース部５１３を経由して、パーソナルコンピュータ部５２０へアクセスし、データのダウンロード等を行う。
【００６６】
そして、クライアント３００2からパーソナルコンピュータ部５２０へのアクセスが終了すると、ステップＳＢ２０では、通信プロトコル制御部５１４は、通常電力モードから省電力モードへ移行させるための移行要因（アクセス終了）をパーソナルコンピュータ部５２０へ通知する。
【００６７】
これにより、図３に示したステップＳＡ１では、パーソナルコンピュータ部５２０での電力モードの移行要因が発生する。そして、前述したステップＳＡ２〜ステップＳＡ５の処理が実行され、パーソナルコンピュータ部５２０の電力モードが通常電力モードから省電力モードへ移行される。
【００６８】
以上説明したように、一実施の形態によれば、クライアント３００1〜３００3のうちいずれかのクライアントからのアクセス要求が外部装置（サーバ１００1〜１００n）へのアクセスに対応している場合、パーソナルコンピュータ部５２０の電力モードを省電力モードに維持させた状態で、クライアントを外部装置へアクセスさせることとしたので、消費電力を低減することができる。
【００６９】
また、一実施の形態によれば、アクセス要求がパーソナルコンピュータ部５２０へのアクセスに対応している場合、パーソナルコンピュータ部５２０の電力モードを省電力モードから通常電力モードへ復帰させた状態で、クライアントをパーソナルコンピュータ部５２０へアクセスさせ、アクセス終了後に電力モードを通常電力モードから省電力モードへ移行させることとしたので、パーソナルコンピュータ部５２０での無駄な電力消費を抑えることができる。
【００７０】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【００７１】
例えば、前述した一実施の形態においては、ゲートウェイパーソナルコンピュータ５００（ゲートウェイカード５１０、パーソナルコンピュータ部５２０）の機能を実現するためのプログラムを図６に示したコンピュータ読み取り可能な記録媒体７００に記録して、この記録媒体７００に記録されたプログラムを同図に示したコンピュータ６００に読み込ませ、実行することにより各機能を実現してもよい。
【００７２】
同図に示したコンピュータ６００は、上記プログラムを実行するＣＰＵ（Central  Processing  Unit）６１０と、キーボード、マウス等の入力装置６２０と、各種データを記憶するＲＯＭ（Read  Only  Memory）６３０と、演算パラメータ等を記憶するＲＡＭ（Random  Access  Memory）６４０と、記録媒体７００からプログラムを読み取る読取装置６５０と、ディスプレイ、プリンタ等の出力装置６６０と、装置各部を接続するバス６７０とから構成されている。
【００７３】
ＣＰＵ６１０は、読取装置６５０を経由して記録媒体７００に記録されているプログラムを読み込んだ後、プログラムを実行することにより、前述した機能を実現する。なお、記録媒体７００としては、光ディスク、フレキシブルディスク、ハードディスク等が挙げられる。
【００７４】
（付記１）情報処理部に接続され、異なるネットワーク間でデータの受け渡しを行うゲートウェイカードであって、
前記ネットワークにより接続された装置からのアクセス要求を受け付けるアクセス要求受付手段と、
前記情報処理部の稼動状態が省電力モードである場合に前記アクセス要求を受け付け、該アクセス要求が外部装置へのアクセスに対応しているとき、前記稼動状態を省電力モードに維持させた状態で、前記装置からのアクセス要求を前記外部装置に対して行わせるアクセス制御手段と、
を備えたことを特徴とするゲートウェイカード。
【００７５】
（付記２）前記アクセス制御手段は、前記稼動状態が省電力モードである場合に前記アクセス要求を受け付け、該アクセス要求が前記情報処理部へのアクセスに対応しているとき、前記稼動状態を前記省電力モードから通常電力モードへ復帰させた状態で、前記装置からのアクセス要求を前記情報処理部に対して行わせ、アクセス終了後に前記稼動状態を前記通常電力モードから前記省電力モードへ移行させることを特徴とする付記１に記載のゲートウェイカード。
【００７６】
（付記３）情報処理部に接続され、異なるネットワーク間でデータの受け渡しを行うゲートウェイカードであって、
前記ネットワークにより接続された装置からのアクセス要求を受け付けるアクセス要求受付手段と、
前記アクセス要求が前記情報処理部へのアクセスに対応している場合、前記情報処理部の稼動状態を省電力モードから通常電力モードへ復帰させた状態で、前記装置からのアクセス要求を前記情報処理部に対して行わせ、アクセス終了後に前記稼動状態を前記通常電力モードから前記省電力モードへ移行させるアクセス制御手段と、
を備えたことを特徴とするゲートウェイカード。
【００７７】
（付記４）情報処理部に接続され、異なるネットワーク間でデータの受け渡しを行うゲートウェイカードに適用されるゲートウェイ制御方法あって、
前記ネットワークにより接続された装置からのアクセス要求を受け付けるアクセス要求受付工程と、
前記情報処理部の稼動状態が省電力モードである場合に前記アクセス要求を受け付け、該アクセス要求が外部装置へのアクセスに対応しているとき、前記稼動状態を省電力モードに維持させた状態で、前記装置からのアクセス要求を前記外部装置に対して行わせるアクセス制御工程と、
を含むことを特徴とするゲートウェイ制御方法。
【００７８】
（付記５）前記アクセス制御工程では、前記稼動状態が省電力モードである場合に前記アクセス要求を受け付け、該アクセス要求が前記情報処理部へのアクセスに対応しているとき、前記稼動状態を前記省電力モードから通常電力モードへ復帰させた状態で、前記装置からのアクセス要求を前記情報処理部に対して行わせ、アクセス終了後に前記稼動状態を前記通常電力モードから前記省電力モードへ移行させることを特徴とする付記４に記載のゲートウェイ制御方法。
【００７９】
（付記６）情報処理部に接続され、異なるネットワーク間でデータの受け渡しを行うゲートウェイカードに適用されるゲートウェイ制御方法であって、
前記ネットワークにより接続された装置からのアクセス要求を受け付けるアクセス要求受付工程と、
前記アクセス要求が前記情報処理部へのアクセスに対応している場合、前記情報処理部の稼動状態を省電力モードから通常電力モードへ復帰させた状態で、前記装置からのアクセス要求を前記情報処理部に対して行わせ、アクセス終了後に前記稼動状態を前記通常電力モードから前記省電力モードへ移行させるアクセス制御工程と、
を含むことを特徴とするゲートウェイ制御方法。
【００８０】
（付記７）情報処理部に接続され、異なるネットワーク間でデータの受け渡しを行うゲートウェイカードに適用されるゲートウェイ制御プログラムであって、
コンピュータを、
前記ネットワークにより接続された装置からのアクセス要求を受け付けるアクセス要求受付手段、
前記情報処理部の稼動状態が省電力モードである場合に前記アクセス要求を受け付け、該アクセス要求が外部装置へのアクセスに対応しているとき、前記稼動状態を省電力モードに維持させた状態で、前記装置からのアクセス要求を前記外部装置に対して行わせるアクセス制御手段、
として機能させるためのゲートウェイ制御プログラム。
【００８１】
（付記８）前記アクセス制御手段は、前記稼動状態が省電力モードである場合に前記アクセス要求を受け付け、該アクセス要求が前記情報処理部へのアクセスに対応しているとき、前記稼動状態を前記省電力モードから通常電力モードへ復帰させた状態で、前記装置からのアクセス要求を前記情報処理部に対して行わせ、アクセス終了後に前記稼動状態を前記通常電力モードから前記省電力モードへ移行させることを特徴とする付記７に記載のゲートウェイ制御プログラム。
【００８２】
（付記９）情報処理部に接続され、異なるネットワーク間でデータの受け渡しを行うゲートウェイカードに適用されるゲートウェイ制御プログラムであって、
コンピュータを、
前記ネットワークにより接続された装置からのアクセス要求を受け付けるアクセス要求受付手段、
前記アクセス要求が前記情報処理部へのアクセスに対応している場合、前記情報処理部の稼動状態を省電力モードから通常電力モードへ復帰させた状態で、前記装置からのアクセス要求を前記情報処理部に対して行わせ、アクセス終了後に前記稼動状態を前記通常電力モードから前記省電力モードへ移行させるアクセス制御手段、
として機能させるためのゲートウェイ制御プログラム。
【００８３】
（付記１０）情報処理部と、該情報処理部に接続され、異なるネットワーク間でデータの受け渡しを行うゲートウェイ部とを備えたゲートウェイ装置であって、
前記ゲートウェイ部は、
前記ネットワークにより接続された装置からのアクセス要求を受け付けるアクセス要求受付手段と、
前記情報処理部の稼動状態が省電力モードである場合に前記アクセス要求を受け付け、該アクセス要求が外部装置へのアクセスに対応しているとき、前記稼動状態を省電力モードに維持させた状態で、前記装置からのアクセス要求を前記外部装置に対して行わせるアクセス制御手段と、
を備え、
前記情報処理部は、
所定の移行要因が発生した場合に、稼動状態を通常電力モードから前記省電力モードに移行させる電力制御手段、
を備えたことを特徴とするゲートウェイ装置。
【００８４】
（付記１１）アクセス制御手段は、前記稼動状態が省電力モードである場合に前記アクセス要求を受け付け、該アクセス要求が前記情報処理部へのアクセスに対応しているとき、前記情報処理部の前記稼動状態を前記省電力モードから前記通常電力モードへ復帰させる復帰通知を出した後、前記装置からのアクセス要求を前記情報処理部に対して行わせ、さらにアクセス終了後に前記稼動状態を前記通常電力モードから前記省電力モードへ移行させる移行通知を出し、前記電力制御手段は、前記復帰通知に基づいて、前記稼動状態を前記省電力モードから前記通常電力モードへ復帰させ、前記移行通知に基づいて、前記稼動状態を前記通常電力モードから前記省電力モードへ移行させることを特徴とする付記１０に記載のゲートウェイ装置。
【００８５】
（付記１２）情報処理部と、該情報処理部に接続され、異なるネットワーク間でデータの受け渡しを行うゲートウェイ部とを備えたゲートウェイ装置であって、
前記ゲートウェイ部は、
前記ネットワークにより接続された装置からのアクセス要求を受け付けるアクセス要求受付手段と、
前記アクセス要求が前記情報処理部へのアクセスに対応している場合、前記情報処理部の稼動状態を省電力モードから通常電力モードへ復帰させる復帰通知を出した後、前記装置からのアクセス要求を前記情報処理部に対して行わせ、さらにアクセス終了後に前記稼動状態を前記通常電力モードから前記省電力モードへ移行させる移行通知を出すアクセス制御手段と、
を備え、
前記情報処理部は、
前記復帰通知に基づいて、前記稼動状態を前記省電力モードから前記通常電力モードへ復帰させ、前記移行通知に基づいて、前記稼動状態を前記通常電力モードから前記省電力モードへ移行させる電力制御手段、
を備えたことを特徴とするゲートウェイ装置。
【００８６】
（付記１３）情報処理部と、該情報処理部に接続され、異なるネットワーク間でデータの受け渡しを行うゲートウェイ部とを備えたゲートウェイ装置に適用されるゲートウェイ制御方法であって、
前記ゲートウェイ部では、
前記ネットワークにより接続された装置からのアクセス要求を受け付けるアクセス要求受付工程と、
前記情報処理部の稼動状態が省電力モードである場合に前記アクセス要求を受け付け、該アクセス要求が外部装置へのアクセスに対応しているとき、前記稼動状態を省電力モードに維持させた状態で、前記装置からのアクセス要求を前記外部装置に対して行わせるアクセス制御工程と、
が実行され、
前記情報処理部では、
所定の移行要因が発生した場合に、稼動状態を通常電力モードから前記省電力モードに移行させる電力制御工程、
が実行されることを特徴とするゲートウェイ制御方法。
【００８７】
（付記１４）前記アクセス制御工程では、前記稼動状態が省電力モードである場合に前記アクセス要求を受け付け、該アクセス要求が前記情報処理部へのアクセスに対応しているとき、前記情報処理部の前記稼動状態を前記省電力モードから前記通常電力モードへ復帰させる復帰通知を出した後、前記装置からのアクセス要求を前記情報処理部に対して行わせ、さらにアクセス終了後に前記稼動状態を前記通常電力モードから前記省電力モードへ移行させる移行通知を出し、前記電力制御工程では、前記復帰通知に基づいて、前記稼動状態を前記省電力モードから前記通常電力モードへ復帰させ、前記移行通知に基づいて、前記稼動状態を前記通常電力モードから前記省電力モードへ移行させることを特徴とする付記１３に記載のゲートウェイ制御方法。
【００８８】
（付記１５）情報処理部と、該情報処理部に接続され、異なるネットワーク間でデータの受け渡しを行うゲートウェイ部とを備えたゲートウェイ装置に適用されるゲートウェイ制御方法であって、
前記ゲートウェイ部では、
前記ネットワークにより接続された装置からのアクセス要求を受け付けるアクセス要求受付工程と、
前記アクセス要求が前記情報処理部へのアクセスに対応している場合、前記情報処理部の稼動状態を省電力モードから通常電力モードへ復帰させる復帰通知を出し、前記装置からのアクセス要求を前記情報処理部に対して行わせ、アクセス終了後に前記稼動状態を前記通常電力モードから前記省電力モードへ移行させる移行通知を出すアクセス制御工程と、
が実行され、
前記情報処理部では、
前記復帰通知に基づいて、前記稼動状態を前記省電力モードから前記通常電力モードに復帰させ、前記移行通知に基づいて、前記稼動状態を通常電力モードから前記省電力モードに移行させる電力制御工程、
が実行されることを特徴とするゲートウェイ制御方法。
【００８９】
（付記１６）情報処理部と、該情報処理部に接続され、異なるネットワーク間でデータの受け渡しを行うゲートウェイ部とを備えたゲートウェイ装置に適用されるゲートウェイ制御プログラムであって、
コンピュータを、
前記ネットワークにより接続された装置からのアクセス要求を受け付けるアクセス要求受付手段、
前記情報処理部の稼動状態が省電力モードである場合に前記アクセス要求を受け付け、該アクセス要求が外部装置へのアクセスに対応しているとき、前記稼動状態を省電力モードに維持させた状態で、前記装置からのアクセス要求を前記外部装置に対して行わせるアクセス制御手段、
所定の移行要因が発生した場合に、前記情報処理部の前記稼動状態を通常電力モードから前記省電力モードに移行させる電力制御手段、
として機能させるためのゲートウェイ制御プログラム。
【００９０】
（付記１７）前記アクセス制御手段は、前記稼動状態が省電力モードである場合に前記アクセス要求を受け付け、該アクセス要求が前記情報処理部へのアクセスに対応している場合、前記情報処理部の前記稼動状態を前記省電力モードから前記通常電力モードへ復帰させる復帰通知を出した後、前記装置からのアクセス要求を前記情報処理部に対して行わせ、さらにアクセス終了後に前記稼動状態を前記通常電力モードから前記省電力モードへ移行させる移行通知を出し、前記電力制御手段は、前記復帰通知に基づいて、前記稼動状態を前記省電力モードから前記通常電力モードへ復帰させ、前記移行通知に基づいて、前記稼動状態を前記通常電力モードから前記省電力モードへ移行させることを特徴とする付記１６に記載のゲートウェイ制御プログラム。
【００９１】
（付記１８）情報処理部と、該情報処理部に接続され、異なるネットワーク間でデータの受け渡しを行うゲートウェイ部とを備えたゲートウェイ装置に適用されるゲートウェイ制御プログラムであって、
コンピュータを、
前記ネットワークにより接続された装置からのアクセス要求を受け付けるアクセス要求受付手段、
前記アクセス要求が前記情報処理部へのアクセスに対応している場合、前記情報処理部の稼動状態を省電力モードから通常電力モードへ復帰させる復帰通知を出し、前記装置からのアクセス要求を前記情報処理部に対して行わせ、アクセス終了後に前記稼動状態を前記通常電力モードから前記省電力モードへ移行させる移行通知を出すアクセス制御手段、
前記復帰通知に基づいて、前記情報処理部の前記稼動状態を前記省電力モードから前記通常電力モードに復帰させ、前記移行通知に基づいて、前記情報処理部の前記稼動状態を通常電力モードから前記省電力モードに移行させる電力制御手段、
として機能させるためのゲートウェイ制御プログラム。
【図面の簡単な説明】
【００９２】
【図１】本発明にかかる一実施の形態の構成を示すブロック図である。
【図２】図１に示した切替部５１６の詳細構成を示すブロック図である。
【図３】同一実施の形態における電力モードの移行動作を説明するシーケンス図である。
【図４】同一実施の形態における電力制御動作を説明するシーケンス図である。
【図５】同一実施の形態における電力制御動作を説明するシーケンス図である。
【図６】同一実施の形態の変形例の構成を示すブロック図である。
【符号の説明】
【００９３】
１００1 〜１００n  サーバ
２００  ＷＡＮ
３００1〜３００3  クライアント
４００  ＬＡＮ
５００  ゲートウェイパーソナルコンピュータ
５１０  ゲートウェイカード
５１１  ＷＡＮインタフェース部
５１２  ＬＡＮインタフェース部
５１３  入出力インタフェース部
５１４  通信プロトコル制御部
５２０  パーソナルコンピュータ部
５２２  主制御部
５２３  電力制御部
５３０  電源ユニット
【図１】
2008112451.tif 000003
【図２】
2008112451.tif 000004
【図３】
2008112451.tif 000005
【図４】
2008112451.tif 000006
【図５】
2008112451.tif 000007
【図６】
2008112451.tif 000008